(57)【要約】【課題】画素の充電速度を増加させて表示装置の画質を改善する。【解決手段】本発明は液晶表示装置に関し、行列形態に配列されている複数の画素と、第１周波数の入力映像データを第２周波数の複数の出力映像データに変換して出力する信号制御部と、前記信号制御部からの出力映像データ各々を相当するアナログデータ電圧に変換して前記画素に順次に印加するデータ駆動部とを含み、前記出力映像データのうちの前記画素に最大輝度を与える出力映像データは、前記入力映像データを直前フレームの入力映像データと比較して決められる。その結果、入力映像データを複数の出力映像データに変換する場合、液晶の応答速度が速くなってフリッカー現象などのような画質不良が防止される。【選択図】図９
2006171749.tif 000002
【特許請求の範囲】
【請求項１】
行列形態に配列されている複数の画素を含む表示装置を駆動する装置であって、
第１周波数の入力映像データを第２周波数の複数の出力映像データに変換して出力する信号制御部と、
前記信号制御部からの前記複数の出力映像データ各々をアナログデータ電圧に変換して前記画素に、順次に印加するデータ駆動部と、を含み、
前記複数の出力映像データのうちの前記画素に最大輝度を与える出力映像データである最大出力映像データは、前記入力映像データを直前フレームの入力映像データである直前入力映像データと比較して決められる表示装置の駆動装置。
【請求項２】
前記最大出力映像データは、前記直前入力映像データと前記入力映像データとの大きさの差によって、前記複数の出力映像データに対応する複数の臨時映像データの中で前記最大映像データに対応する最大臨時映像データを基準に決められる請求項１に記載の表示装置の駆動装置。
【請求項３】
前記最大出力映像データは、前記最大臨時映像データより大きい、または小さい請求項２に記載の表示装置の駆動装置。
【請求項４】
前記最大出力映像データは、前記最大臨時映像データと同一である請求項２に記載の表示装置の駆動装置。
【請求項５】
前記複数の臨時映像データのガンマ曲線の平均は、前記入力映像データのガンマ曲線と一致する請求項３に記載の表示装置の駆動装置。
【請求項６】
前記複数の臨時映像データによる画素の光量の合計は、前記入力映像データによる画素の光量と同一である請求項３に記載の表示装置の駆動装置。
【請求項７】
前記複数の出力映像データは、第１出力映像データと第２出力映像データと、を含み、
前記第１出力映像データは、前記第２出力映像データより大きい請求項２に記載の表示装置の駆動装置。
【請求項８】
前記第１出力映像データは、前記直前入力映像データと前記入力映像データとの大きさの差によって、前記第１出力映像データに対応する第１臨時映像データを基準に決められる請求項７に記載の表示装置の駆動装置。
【請求項９】
前記入力映像データが前記直前入力映像データより大きい場合、前記第１出力映像データは、前記第１臨時映像データより大きい請求項８に記載の表示装置の駆動装置。
【請求項１０】
前記入力映像データが前記直前入力映像データより小さい場合、前記第１出力映像データは、前記第１臨時映像データより小さい請求項８に記載の表示装置の駆動装置。
【請求項１１】
前記入力映像データが前記直前入力映像データと同一である場合、前記第１出力映像データは、前記第１臨時映像データと同一である請求項８に記載の表示装置の駆動装置。
【請求項１２】
前記第１出力映像データは、前記第１臨時映像データと前記第２臨時映像データに相当するデータ電圧を画素に印加する時に得られる平衡状態の透過率曲線を基準に決められる請求項８に記載の表示装置の駆動装置。
【請求項１３】
前記信号制御部は、
前記入力映像データと前記直前入力映像データとを記憶するフレームメモリと、
前記フレームメモリからの前記入力映像データを前記直前入力映像データと比較して、前記入力映像データを前記第１出力映像データ及び第２出力映像データに変換して出力する映像信号補正部と、
を含む請求項７に記載の表示装置の駆動装置。
【請求項１４】
前記映像信号補正部は、
前記第１出力映像データ及び第２出力映像データが記憶されているルックアップテーブルと、
制御信号によって前記ルックアップテーブルからの第１出力映像データ及び第２出力映像データのうちの一つを選択して出力するマルチプレクサーと、
を含む請求項１３に記載の表示装置の駆動装置。
【請求項１５】
前記映像信号補正部は、
前記第１出力映像データ及び第２出力映像データが、各々記憶されている第１ルックアップテーブル及び第２ルックアップテーブルと、
制御信号によって前記第１ルックアップテーブル及び第２ルックアップテーブルからの第１出力映像データ及び第２出力映像データのうちの一つを選択して出力するマルチプレクサーと、
前記マルチプレクサーからの第１出力映像データもしくは第２出力映像データを、前記入力映像データと前記直前入力映像データの関数で記憶し、前記入力映像データと前記直前入力映像データに対応する第１出力映像データもしくは第２出力映像データを出力する第３ルックアップテーブルと、
を含む請求項１３に記載の表示装置の駆動装置。
【請求項１６】
前記信号制御部は、
前記入力映像データと前記直前入力映像データとを記憶するフレームメモリと、
前記フレームメモリからの前記入力映像データと前記直前入力映像データとに基づいて前記入力映像データを前記複数の出力映像データに変換して出力する映像信号補正部と、
を含み、
前記映像信号補正部は、前記直前入力映像データと前記入力映像データとの一部対に対する出力映像データを記憶しているルックアップテーブルをさらに含み、残り直前入力映像データと残り入力映像データとの対に対する出力映像データは補間方式で求められる請求項１に記載の表示装置の駆動装置。
【請求項１７】
前記複数の出力映像データは、第１出力映像データと第２出力映像データと、を含み、
前記第１出力映像データは、前記第２出力映像データより大きい請求項１６に記載の表示装置の駆動装置。
【請求項１８】
前記映像信号補正部は、
前記第１出力映像データ及び第２出力映像データに対する補正係数が記憶されているルックアップテーブルと、
制御信号によって前記ルックアップテーブルからの第１出力映像データ及び第２出力映像データに対する補正係数のうちの一つを選択して出力するマルチプレクサーと、
前記マルチプレクサーからの第１補正係数もしくは第２補正係数及び前記入力映像データと、前記直前入力映像データとによって補間を実施する演算部と、
を含む請求項１７に記載の表示装置の駆動装置。
【請求項１９】
前記映像信号補正部は、
前記第１出力映像データ及び第２出力映像データに対する第１補正係数及び第２補正係数が各々記憶されている第１ルックアップテーブル及び第２ルックアップテーブルと、
制御信号によって前記第１ルックアップテーブル及び第２ルックアップテーブルからの第１補正係数及び第２補正係数のうちの一つを選択して出力するマルチプレクサーと、
前記マルチプレクサーからの第１補正係数もしくは第２補正係数を前記入力映像データと前記直前入力映像データの関数で記憶し、前記入力映像データと前記直前入力映像データに対応する第１補正係数もしくは第２補正係数を出力する第３ルックアップテーブルと、
前記第３ルックアップテーブルからの第１補正係数もしくは第２補正係数と前記入力映像データと前記直前入力映像データによって補間を実施する演算部と、
を含む請求項１７に記載の表示装置の駆動装置。
【請求項２０】
前記第２周波数は、前記第１周波数の２倍である請求項１に記載の表示装置の駆動装置。
【請求項２１】
行列形態に配列されている複数の画素と、
第１周波数の入力映像データを第２周波数の複数の出力映像データに変換して出力する信号制御部と、
前記信号制御部からの出力映像データ各々をアナログデータ電圧に変換して前記画素に、順次に印加するデータ駆動部と、を含み、
前記複数の出力映像データの中で前記画素に最大輝度を与える出力映像データである最大出力映像データは、前記入力映像データを直前フレームの入力映像データである直前入力映像データと比較して決められる液晶表示装置。
【請求項２２】
前記最大出力映像データは、前記直前入力映像データと前記入力映像データとの大きさの差によって、前記複数の出力映像データに対応する複数の臨時映像データの中で前記最大映像データに対応する最大臨時映像データを基準に決められる請求項２１に記載の液晶表示装置。
【請求項２３】
前記最大出力映像データは、前記最大臨時映像データより大きい、または小さい請求項２２に記載の液晶表示装置。
【請求項２４】
前記最大出力映像データは、前記最大臨時映像データと同一である請求項２２に記載の液晶表示装置。
【請求項２５】
前記複数の臨時映像データのガンマ曲線の平均は、前記入力映像データのガンマ曲線と一致する請求項２３に記載の液晶表示装置。
【請求項２６】
前記複数の臨時映像データによる画素の光量の合計は、前記入力映像データによる画素の光量と同一である請求項２３に記載の液晶表示装置。
【請求項２７】
前記複数の出力映像データは、第１出力映像データと第２出力映像データと、を含み、
前記第１出力映像データは、前記第２出力映像データより大きい請求項２２に記載の液晶表示装置。
【請求項２８】
前記第１出力映像データは、前記直前入力映像データと前記入力映像データとの大きさの差によって、前記第１出力映像データに対応する第１臨時映像データを基準に決められる請求項２７に記載の液晶表示装置。
【請求項２９】
前記入力映像データが前記直前入力映像データより大きい場合、前記第１出力映像データは前記第１臨時映像データより大きい請求項２８に記載の液晶表示装置。
【請求項３０】
前記入力映像データが前記直前入力映像データより小さい場合、前記第１出力映像データは前記第１臨時映像データより小さい請求項２８に記載の液晶表示装置。
【請求項３１】
前記入力映像データが前記直前入力映像データと同一である場合、前記第１出力映像データは前記第１臨時映像データと同一である請求項２８に記載の液晶表示装置。
【請求項３２】
前記第１出力映像データは、前記第１臨時映像データと前記第２臨時映像データに相当するデータ電圧を画素に印加する時に得られる平衡状態の透過率曲線を基準に決められる請求項２８に記載の液晶表示装置。
【請求項３３】
前記第２周波数は前記第１周波数の２倍である請求項２１に記載の液晶表示装置。
【発明の詳細な説明】
【技術分野】
【０００１】
本発明は、液晶表示装置及び表示装置の駆動装置に関するものである。
【背景技術】
【０００２】
一般的な液晶表示装置（ＬＣＤ）は、画素電極及び共通電極が備えられた二枚の表示板と、その間に入っている誘電率異方性を持つ液晶層を備える。画素電極は行列形態に配列されていて、薄膜トランジスタ（ＴＦＴ）などスイッチング素子に連結されて一行ずつ順次にデータ電圧の印加を受ける。共通電極は、画素電極と異なる表示板または同一表示板に備えられ、共通電圧の印加を受ける。画素電極、共通電極、及びその間の液晶層は回路的にみると、液晶キャパシタを構成している。液晶キャパシタはこれに連結されたスイッチング素子と共に画素を構成する基本単位となる。
【０００３】
このような液晶表示装置では、二つの電極に電圧を印加して液晶層に電界を生成し、この電界の強さを調節することで、液晶層を通過する光の透過率を調節して所望の画像を得る。
【０００４】
この時、液晶層に一方向の電界が長時間印加されることによって発生する劣化現象を防止するために、フレーム別に、行別にもしくは画素別に共通電圧に対するデータ電圧の極性を反転させる。
【０００５】
このようなＴＦＴ−ＬＣＤは、コンピュータの表示装置だけでなくテレビの表示画面としても広く使用されることによって、動画像を実現する必要が高まっている。しかし、従来のＴＦＴ−ＬＣＤは、液晶の応答速度が遅いために動画像を実現することが難しい。
【０００６】
つまり、液晶分子の応答速度が遅いために液晶キャパシタに充電される電圧が目標電圧である所望の輝度が得られる電圧まで至るのにある程度の時間がかかり、この時間は、目標電圧と液晶キャパシタの直前に充電されていた電圧（直前電圧）との差によって変わる。したがって、目標電圧と直前電圧との差が大きい場合、最初から目標電圧のみを印加すると、スイッチング素子が導通している時間の間に目標電圧に至れないことがある。
【発明の開示】
【発明が解決しようとする課題】
【０００７】
そこで、本発明が目的とする技術的課題は、画素の充電速度を上昇させて表示装置の画質を改善することにある。
【課題を解決するための手段】
【０００８】
本発明の一つの特徴による駆動装置は、行列形態に配列されている複数の画素を含む表示装置を駆動する装置であって、第１周波数の入力映像データを第２周波数の複数の出力映像データに変換して出力する信号制御部と、前記信号制御部からの前記複数の出力映像データ各々を相当するアナログデータ電圧に変換して前記画素に順次に印加するデータ駆動部とを含み、前記複数の出力映像データのうちの前記画素に最大輝度を与える出力映像データである最大出力映像データは、前記入力映像データを直前フレームの入力映像データである直前入力映像データと比較して決められる。
【０００９】
本発明の一つの特徴による液晶表示装置は、行列形態に配列されている複数の画素と、第１周波数の入力映像データを第２周波数の複数の出力映像データに変換して出力する信号制御部と、前記信号制御部からの出力映像データ各々を相当するアナログデータ電圧に変換して前記画素に順次に印加するデータ駆動部とを含み、前記複数の出力映像データの中で前記画素に最大輝度を与える出力映像データは前記入力映像データを直前フレームの入力映像データと比較して決められる。
【００１０】
前記最大出力映像データは、前記直前入力映像データと前記入力映像データとの大きさの差によって、前記複数の出力映像データに対応する複数の臨時映像データの中で前記最大映像データに対応する最大臨時映像データを基準に決められるのが好ましい。
【００１１】
前記最大出力映像データは、前記最大臨時映像データより大きい、または小さいのが好ましい。
【００１２】
前記最大出力映像データは前記最大臨時映像データと同一であるのが好ましい。
【００１３】
前記複数の臨時映像データのガンマ曲線の平均は、前記入力映像データのガンマ曲線と一致してもよい。
【００１４】
前記複数の臨時映像データによる画素の光量の合計は前記入力映像データによる画素の光量と同一であってもよい。
【００１５】
前記複数の出力映像データは、第１出力映像データと第２出力映像データと、を含み、前記第１出力映像データは、前記第２出力映像データより大きいのが好ましい。
【００１６】
前記第１出力映像データは、前記直前入力映像データと前記入力映像データとの大きさの差によって、前記第１出力映像データに対応する第１臨時映像データを基準に決められるのが好ましい。
【００１７】
前記入力映像データが前記直前入力映像データより大きい場合、前記第１出力映像データは前記第１臨時映像データより大きく、前記入力映像データが前記直前入力映像データより小さい場合、前記第１出力映像データは前記第１臨時映像データより小さく、または前記入力映像データが前記直前入力映像データと同一である場合、前記第１出力映像データは前記第１臨時映像データと同一であるのが好ましい。
【００１８】
前記第１出力映像データは、前記第１臨時映像データと前記第２臨時映像データに相当するデータ電圧を引続き画素に印加する時に得られる最終的な平衡状態の透過率曲線を基準に決められるのが好ましい。
【００１９】
前記信号制御部は、前記入力映像データと前記直前入力映像データとを記憶するフレームメモリと、前記フレームメモリからの前記入力映像データを前記直前入力映像データと比較して、前記入力映像データを前記第１出力映像データ及び第２出力映像データに変換して出力する映像信号補正部を含むのが好ましい。
【００２０】
前記映像信号補正部は、前記第１出力映像データ及び第２出力映像データが記憶されているルックアップテーブルと、制御信号によって前記ルックアップテーブルからの第１出力映像データ及び第２出力映像データのうちの一つを選択して出力するマルチプレクサーとを含むことができる。
【００２１】
前記映像信号補正部は、前記第１出力映像データ及び第２出力映像データが各々記憶されている第１ルックアップテーブル及び第２ルックアップテーブルと、制御信号によって前記第１ルックアップテーブル及び第２ルックアップテーブルからの第１出力映像データ及び第２出力映像データのうちの一つを選択して出力するマルチプレクサーと、前記マルチプレクサーからの第１出力映像データもしくは第２出力映像データを前記入力映像データと前記直前入力映像データの関数で記憶し、前記入力映像データと前記直前入力映像データに応答して相当する第１出力映像データもしくは第２出力映像データを出力する第３ルックアップテーブルを含むことができる。
【００２２】
前記信号制御部は、前記入力映像データと前記直前入力映像データとを記憶するフレームメモリと、前記フレームメモリからの前記入力映像データと前記直前入力映像データとに基づいて前記入力映像データを前記複数の出力映像データに変換して出力する映像信号補正部とを含み、前記映像信号補正部は、前記直前入力映像データと前記入力映像データのと一部対に対する出力映像データを記憶しているルックアップテーブルをさらに含み、残り直前入力映像データと残り入力映像データとの対に対する出力映像データは補間方式で求められてもよい。
【００２３】
前記複数の出力映像データは、第１出力映像データと第２出力映像データと、を含み、前記第１出力映像データは、前記第２出力映像データより大きいのが好ましい。
【００２４】
前記映像信号補正部は、前記第１及び第２出力映像データに対する補正係数が記憶されているルックアップテーブルと、制御信号によって前記ルックアップテーブルからの第１出力映像データ及び第２出力映像データに対する補正係数のうちの一つを選択して出力するマルチプレクサーと、前記マルチプレクサーからの第１補正係数もしくは第２補正係数と前記入力映像データと前記直前入力映像データとによって補間を実施する演算部とを含むことができる。
【００２５】
前記映像信号補正部は、前記第１出力映像データ及び第２出力映像データに対する第１補正係数及び第２補正係数が各々記憶されている第１及び第２ルックアップテーブルと、制御信号によって前記第１ルックアップテーブル及び第２ルックアップテーブルからの第１補正係数及び第２補正係数のうちの一つを選択して出力するマルチプレクサーと、前記マルチプレクサーからの第１補正係数もしくは第２補正係数を前記入力映像データと前記直前入力映像データの関数で記憶し、前記入力映像データと前記直前入力映像データに対応する第１補正係数もしくは第２補正係数を出力する第３ルックアップテーブルと、前記第３ルックアップテーブルからの第１補正係数もしくは第２補正係数と前記入力映像データと前記直前入力映像データによって補間を実施する演算部とを含むことができる。
【００２６】
前記第２周波数は、前記第１周波数の２倍であってもよい。
【発明の効果】
【００２７】
本発明によれば、入力映像データを複数の出力映像データに変換する場合、液晶の応答速度が速くなるため、フリッカー現象などのような画質不良が防止される。
【発明を実施するための最良の形態】
【００２８】
以下、添付した図面を参照して、本発明の実施例について本発明が属する技術分野における通常の知識を有する者が容易に実施できるように詳細に説明する。しかし、本発明は多様で相異なる形態で実現することができ、以下に説明する実施例に限定されない。
【００２９】
明細書に添付した図面では、複数の層及び領域を明確に表現するために、複数のそう及び領域の厚さを拡大して示しており、明細書全体にわたって類似な部分については同一図面符号を付けた。層、膜、領域、および板などの部分が他の部分の“上”にあるとする場合、他の部分の“直上”にある場合だけでなく、その中間に他の部分がある場合も含む。これに反し、ある部分が他の部分の“直上”にあるとする場合には、中間に他の部分がないことを意味する。
【００３０】
次に、本発明の表示装置及び表示装置の駆動装置に対する一実施例である液晶表示装置及び液晶表示装置の駆動装置について、図面を参照して詳細に説明する。
【００３１】
図１は、本発明の一実施例による液晶表示装置のブロック図である。図２は、本発明の一実施例による液晶表示装置の一つの画素に対する等価回路図である。また、図３は本発明の一実施例による液晶表示装置の構造図である。
【００３２】
図１に示しているように、本発明の一実施例による液晶表示装置は、液晶表示板組立体３００と、液晶表示板組立体３００に連結されたゲート駆動部４００とデータ駆動部５００と、データ駆動部５００に連結された階調電圧生成部８００と、およびこれらを制御する信号制御部６００を備える。
【００３３】
液晶表示板組立体３００は等価回路でみる場合、複数の表示信号線Ｇ１〜Ｇｎ、Ｄ１〜Ｄｍ、および複数の表示信号線に連結されていてほぼ行列形態に配列された複数の画素を含む。また、液晶表示板組立体３００は、互いに対向する下部表示板１００及び上部表示板２００と、両者の間に入っている液晶層３とを含む。
【００３４】
表示信号線Ｇ１〜ＧｎおよびＤ１〜Ｄｍは、ゲート信号（“走査信号”とも言う）を伝達する複数のゲート線Ｇ１〜Ｇｎと、データ信号を伝達するデータ線Ｄ１〜Ｄｍである。ゲート線Ｇ１〜Ｇｎは、ほぼ行方向に延びていて、互いにほとんど平行する。データ線Ｄ１〜Ｄｍは、ほぼ列方向に延びていて、互いにほとんど平行する。
【００３５】
各画素は、ゲート線Ｇ１〜Ｇｎ及びデータ線Ｄ１〜Ｄｍに連結されたスイッチング素子Ｑと、これに連結された液晶キャパシタＣＬＣと、ストレージキャパシタＣＳＴとを含む。ストレージキャパシタＣＳＴは、必要に応じて省略できる。
【００３６】
各画素のスイッチング素子Ｑは、下部表示板１００に備えられている薄膜トランジスタなどで構成され、ゲート線Ｇ１〜Ｇｎに連結されている制御端子と、データ線Ｄ１−Ｄｍに連結されている入力端子と、液晶キャパシタＣＬＣ及びストレージキャパシタＣＳＴに連結されている出力端子とを有する三端子素子である。
【００３７】
液晶キャパシタＣＬＣは、下部表示板１００の画素電極１９０と上部表示板２００の共通電極２７０を二つの端子とし、二つの電極１９０および２７０の間の液晶層３は誘電体として機能する。画素電極１９０は、スイッチング素子Ｑに連結され、共通電極２７０は上部表示板２００の全面に形成されていて、共通電圧Ｖｃｏｍの印加を受ける。図２とは異なって、共通電極２７０が下部表示板１００に備えられる場合は、二つの電極１９０、２７０のうちの少なくとも一つが線状もしくは棒状に形成されてもよい。
【００３８】
液晶キャパシタＣＬＣの補助的な役割を果たすストレージキャパシタＣＳＴは、下部表示板１００に備えられた別個の信号線（図示せず）と画素電極１９０が絶縁体を間に置いて重なって構成され、この別個の信号線には、共通電圧Ｖｃｏｍなどの決められた電圧が印加される。しかし、ストレージキャパシタＣＳＴは、画素電極１９０が絶縁体を媒介として直上の前端のゲート線と重なって構成されてもよい。
【００３９】
一方、色表示を実現するために、各画素が原色のうちの一つを固有に表示（空間分割）し、各画素が時間によって交互に原色を表示（時間分割）する。これら原色の空間的、時間的な作用で所望の色相を認識させる。原色の例としては、赤色、緑色、及び青色がある。
【００４０】
図２は空間分割の一例であって、各画素が上部表示板２００領域に原色のうちの一つを示す色フィルター２３０を備えることを示している。図２とは異なって、色フィルター２３０は下部表示板１００の画素電極１９０の上、もしくは画素電極１９０の下に形成してもよい。
【００４１】
液晶表示板組立体３００の二つの表示板１００、２００のうち少なくとも一つの外側の面には、光を偏光させる偏光子（図示せず）が付着されている。
【００４２】
階調電圧生成部８００は、画素の透過率に関する二つの複数階調電圧を生成する。二つのうちの一つは共通電圧Ｖｃｏｍに対して正の値を有し、他の一つは負の値を有する。
【００４３】
ゲート駆動部４００は、液晶表示板組立体３００のゲート線Ｇ１〜Ｇｎに連結されて、外部からのゲートオン電圧Ｖｏｎとゲートオフ電圧Ｖｏｆｆとの組み合わせからなるゲート信号をゲート線Ｇ１〜Ｇｎに印加し、複数の集積回路で構成される。
【００４４】
データ駆動部５００は、液晶表示板組立体３００のデータ線Ｄ１〜Ｄｍに連結されて、階調電圧生成部８００からの階調電圧を選択してデータ電圧として画素に印加する。
【００４５】
ゲート駆動部４００もしくはデータ駆動部５００は、複数の駆動集積回路チップ形態で液晶表示板組立体３００上に直接装着され、または可撓性印刷回路膜（図示せず）上に装着されてＴＣＰ（ｔａｐｅ  ｃａｒｒｉｅｒ  ｐａｃｋａｇｅ）形態で液晶表示板組立体３００に付着されてもよい。また、ゲート駆動部４００またはデータ駆動部５００は、表示信号線Ｇ１〜Ｇｎ、Ｄ１〜Ｄｍと薄膜トランジスタスイッチング素子Ｑと共に液晶表示板組立体３００に集積されてもよい。
【００４６】
信号制御部６００は、ゲート駆動部４００及びデータ駆動部５００などの動作を制御する。
【００４７】
以下に、このような液晶表示装置の動作について詳細に説明する。
【００４８】
信号制御部６００は、外部のグラフィック制御機（図示せず）から入力映像信号Ｒ、Ｇ、Ｂ、及びその表示を制御する入力制御信号の提供を受ける。入力制御信号は、例えば、垂直同期信号Ｖｓｙｎｃ、水平同期信号Ｈｓｙｎｃ、メインクロックＭＣＬＫ、およびデータイネーブル信号ＤＥなどの信号である。信号制御部６００は、入力映像信号Ｒ、Ｇ、Ｂと入力制御信号に基づいて、入力映像信号Ｒ、Ｇ、Ｂを液晶表示板組立体３００の動作条件に合わせて適切に処理する。また、信号制御部６００は、ゲート制御信号ＣＯＮＴ１及びデータ制御信号ＣＯＮＴ２などの信号を生成した後、ゲート制御信号ＣＯＮＴ１をゲート駆動部４００に出力し、データ制御信号ＣＯＮＴ２と処理した映像信号ＤＡＴをデータ駆動部５００に出力する。信号制御部６００のデータ処理は、所定周波数を有する入力映像データＲ、Ｇ、Ｂを変換して、入力映像データＲ、Ｇ、Ｂと異なる周波数を有する複数の出力映像データを出力することを含む。信号制御部６００のデータ処理については後述する。
【００４９】
ゲート制御信号ＣＯＮＴ１は、走査開始を指示する走査開始信号ＳＴＶと、ゲートオン電圧Ｖｏｎの出力時間を制御する少なくとも一つのクロック信号を含む。ゲート制御信号ＣＯＮＴ１は、ゲートオン電圧Ｖｏｎの持続時間を制限する出力イネーブル信号ＯＥを含むことができる。
【００５０】
データ制御信号ＣＯＮＴ２は、一束の画素に対するデータの伝送を知らせる水平同期開始信号ＳＴＨ、データ線Ｄ１〜Ｄｍに当該データ電圧を印加することを命令するロード信号ＬＯＡＤ、及びデータクロック信号ＨＣＬＫを含む。また、データ制御信号ＣＯＮＴ２は、共通電圧Ｖｃｏｍに対するデータ電圧の極性（以下、共通電圧に対するデータ電圧の極性を「データ電圧の極性」と称する）を反転させる反転信号ＲＶＳを含んでもよい。
【００５１】
信号制御部６００からのデータ制御信号ＣＯＮＴ２によって、データ駆動部５００は、一行の画素に対する映像データＤＡＴを受信し、階調電圧生成部８００から各映像データＤＡＴに対応する階調電圧を選択することによって、映像データＤＡＴを当該データ電圧に変換した後、これを当該データ線Ｄ１〜Ｄｍに印加する。
【００５２】
ゲート駆動部４００は、信号制御部６００からのゲート制御信号ＣＯＮＴ１によって、ゲートオン電圧Ｖｏｎをゲート線Ｇ１〜Ｇｎに順次に印加して、このゲート線Ｇ１〜Ｇｎに連結されたスイッチング素子Ｑを導通させ、その結果データ線Ｄ１〜Ｄｍに印加されたデータ電圧が導通したスイッチング素子Ｑを通じて当該画素に印加される。
【００５３】
画素に印加されたデータ電圧と共通電圧Ｖｃｏｍの差は、液晶キャパシタＣＬＣの充電電圧、つまり、画素電圧として示される。液晶分子は、画素電圧の大きさに応じてその配列が異なり、そのために液晶層３を通過する光の偏光が変化する。このような偏光の変化は、表示板１００、２００に付着された偏光子（図示せず）によって光の透過率変化で示され、光の透過率変化によって画素の輝度が決められる。
【００５４】
１水平周期（１Ｈ：水平同期信号Ｈｓｙｎｃ及びゲートクロックＣＰＶの一周期）を単位として、データ駆動部５００とゲート駆動部４００は同一動作を繰り返す。このような方式で、一つのフレームの間に、全てのゲート線Ｇ１〜Ｇｎに対して順次にゲートオン電圧Ｖｏｎを印加して、全ての画素にデータ電圧を印加する。一つのフレームが終わると、次のフレームが始まり、各画素に印加されるデータ電圧の極性が直前フレームにおける極性と反対になるようにデータ駆動部５００に印加される反転信号ＲＶＳの状態が制御される（フレーム反転）。この時、一つのフレーム内でも反転信号ＲＶＳの特性によって、一つのデータ線を通じて流れるデータ電圧の極性が変わったり（例えば、行反転、ドット反転）、隣接データ線を通じて同時に流れるデータ電圧の極性も互いに異なることがある（例えば、列反転、ドット反転）。
【００５５】
図３乃至図５を参照して、本発明の一実施例による信号制御部について詳細に説明する。
【００５６】
図３は、本発明の一実施例による信号制御部のブロック図である。図４は、図３に示した信号制御部６００を含む液晶表示装置における映像データの補正前ガンマ曲線及び補正後ガンマ曲線を示したグラフである。図５は、図３に示した信号制御部６００を含む液晶表示装置における映像データの補正前データ電圧と補正後データ電圧を示した波形図である。
【００５７】
まず、図３に示されているように、信号制御部６００はフレームメモリ６１０と、フレームメモリ６１０に連結されている映像信号補正部６２０を含む。
【００５８】
フレームメモリ６１０は、入力される映像データをフレーム単位で記憶する。
【００５９】
映像信号補正部６２０は、フレームメモリ６１０に記憶されている映像データｇｒの入力を順次に受けて、映像データｇｒ各々を複数の出力映像データ、例えば、第１及び第２出力映像データｇｒ１、ｇｒ２に変換して順次に出力する。具体的に説明すると、映像信号補正部６２０は、映像データｇｒを一回ずつ読み込んで、第１出力映像データｇｒ１に変換して順次に出力した後、映像データｇｒを再び一回ずつ読み込んで第２出力映像データｇｒ２に変換して順次に出力する。その結果、データ駆動部５００は、全ての画素に対して第１出力映像データｇｒ１に相当するデータ電圧をデータ線Ｄ１〜Ｄｍに印加した後、第２出力映像データｇｒ２に相当するデータ電圧をデータ線Ｄ１〜Ｄｍに印加する。以下、第１及び第２出力映像データｇｒ１、ｇｒ２が出力される期間及び第１及び第２出力映像データｇｒ１、ｇｒ２に相当するデータ電圧が印加される期間各々を「フィールド」と称する。
【００６０】
一方、フレームメモリ６１０に記憶されている映像データを二回ずつ読み込むために、フレームメモリ６１０の読取り周波数（出力周波数）ｆｒは、書き取り周波数（入力周波数）ｆｗの２倍である。その結果、フレームメモリ６１０の入力フレーム周波数ｆｗが６０Ｈｚであれば、映像信号補正部６２０の出力フィールド周波数及びデータ電圧の印加周波数は１２０Ｈｚになる。
【００６１】
一方、図４に示しているように、二つの出力映像データｇｒ１、ｇｒ２が示すガンマ曲線Ｔ１、Ｔ２の平均は、補正前の入力映像データに対するガンマ曲線Ｔｉと一致する。
【００６２】
これを別の表現をすれば、第１及び第２出力映像データｇｒ１、ｇｒ２による画素の光量の合計が、補正前の入力映像データｇｒによる画素の光量と同一であると言える。ここで、光量とは、輝度と、その輝度を維持する時間とを乗算した値と同一である。
【００６３】
したがって、入力映像データｇｒに対応する輝度をＴ（ｇｒ）、第１出力映像データｇｒ１に対応する輝度をＴ（ｇｒ１）、および第２出力映像データｇｒ２に対応する輝度をＴ（ｇｒ２）とすると、以下の式（１）が成立する。
【００６４】
２Ｔ（ｇｒ）＝Ｔ（ｇｒ１）＋Ｔ（ｇｒ２）・・・（１）
このように一つの入力映像データｇｒを二つの出力映像データｇｒ１、ｇｒ２に変換する場合、二つの出力映像データｇｒ１、ｇｒ２のうちの一つは、他の一つより大きいか、または同一である。二つの出力映像データの中で大きいものを先に出力し、小さいものを後に出力し、またはその反対にすることもできる。ノーマリーブラックモード液晶表示装置の場合、映像データが大きければ相当するデータ電圧もまた大きい。図５の（ｂ）に、ノーマリーブラックモード液晶表示装置において、二つの出力映像データｇｒ１、ｇｒ２の中で大きいものを先に出力し、小さいものを後に出力する場合のデータ電圧を示した。図５の（ａ）は、入力映像データを補正せずにそのまま出力した場合のデータ電圧を示す。
【００６５】
二つの出力映像データｇｒ１、ｇｒ２のうち低い方を０、または０に近くすることで、インパルシブ駆動の効果を得ることができる。
【００６６】
次に、図６を参照して、本発明の他の実施例による信号制御部について詳細に説明する。
【００６７】
図６は、本発明の他の実施例による信号制御部のブロック図である。
【００６８】
図６に示しているように、本実施例による信号制御部６００は、第１フレームメモリ６３０と映像信号補正部６４０を含む。映像信号補正部６４０は、フレームメモリ６３０と連結されている信号変換部６４１、信号変換部６４１に連結されている第２フレームメモリ６４２、および信号変換部６４１及び第２フレームメモリ６４２に連結されているＤＣＣ処理部６４３を備える。
【００６９】
第一フレームメモリ６３０及び信号変換部６４１の動作は、図３に示した信号制御部のフレームメモリ６１０及び映像信号補正部６２０の動作と同一である。
【００７０】
つまり、第一フレームメモリ６３０は、第１周波数ｆｗで入力される映像データをフレーム単位で記憶する。信号変換部６４１は、第一フレームメモリ６３０に記憶されている映像データｇｒを第１周波数ｆｗの２倍である第２周波数ｆｒで順次に読み込んで、映像データｇｒ各々を第１及び第２臨時映像データｇｒ１、ｇｒ２に変換して順次に出力する。変換の原理は、図４及び図５を参照して説明した通りである。
【００７１】
第２フレームメモリ６４２は、信号変換部６４１からの臨時映像データｇｒ１、ｇｒ２を二つのフィールド単位で記憶する。つまり、二つのフィールドの映像データを記憶する。
【００７２】
ＤＣＣ処理部６４３は、信号変換部６４１からの映像データと第２フレームメモリ６４２からの映像データを受信する。この時、第２フレームメモリ６４２から出力される映像データは、直前フレームの映像データ（以下「直前映像データ」と称し、ｇｒ−１と表記する）である。直前映像データと区分するために、信号変換部６４１からの映像データを現在フレームの映像データ（以下、「現在映像データ」と称する。）とする。
【００７３】
ＤＣＣ処理部６４３は、現在映像データｇｒ１、ｇｒ２各々を直前映像データｇｒ−１，１、ｇｒ−１，２と比較する。比較した結果によって、現在映像データｇｒ１、ｇｒ２を出力映像データｇｒ１´、ｇｒ２´に変換する。出力映像データは、現在映像データと直前映像データの大きさの差であり、これをＤＣＣという。
【００７４】
例えば、現在映像データｇｒ１、ｇｒ２が直前映像データｇｒ−１，１、ｇｒ−１，２より大きい場合、つまり、ｇｒ，ｐ＞ｇｒ−１，ｐ（ｐ＝１、２）である場合、出力映像データｇｒ１´、ｇｒ２´は、現在映像データｇｒ１、ｇｒ２より大きい。反対に、現在映像データｇｒ１、ｇｒ２が直前映像データｇｒ−１，１、ｇｒ−１，２より小さい場合、つまり、ｇｒ，ｐ＜ｇｒ−１，ｐである場合、出力映像データｇｒ１´、ｇｒ２´は現在映像データｇｒ１、ｇｒ２より小さい。また、現在映像データｇｒ１、ｇｒ２が直前映像データｇｒ−１，１、ｇｒ−１，２と同一である場合、つまり、ｇｒ，ｐ＝ｇｒ−１，ｐである場合、出力映像データｇｒ１´、ｇｒ２´は、現在映像データｇｒ１、ｇｒ２と同一である。
【００７５】
現在映像データｇｒ１、ｇｒ２が直前映像データｇｒ−１，１、ｇｒ−１，２と異なる場合、出力映像データｇｒ１´、ｇｒ２´を現在映像データｇｒ１、ｇｒ２より大きく、または小さくするので、相当する画素が目標輝度に速かに接近することができる。
【００７６】
図７乃至図９を参照して、本発明の他の実施例による信号制御部について詳細に説明する。
【００７７】
図７は、本発明の他の実施例による信号制御部のブロック図である。図８は、図７に示した信号制御部を含む液晶表示装置の時間に応じた透過率変化を示したグラフである。図９は、図３に示した信号制御部を含む液晶表示装置の時間に応じた透過率変化を示したグラフである。
【００７８】
まず、図７に示しているように、本実施例による信号制御部６００はフレームメモリ６５０と、フレームメモリ６５０に連結されている映像信号補正部６６０とを含む。
【００７９】
フレームメモリ６５０は、第１周波数ｆｗで入力される映像データを二つのフレームで記憶する。
【００８０】
映像信号補正部６６０は、フレームメモリ６５０に記憶されている直前入力映像データｇｒ−１と現在入力映像データｇｒとを第１周波数の２倍である第２周波数ｆｒで順次に読み込み、現在入力映像データｇｒ各々を直前入力映像データｇｒ−１と比較し、比較した結果によって、現在入力映像データｇｒを第１及び第２出力映像データｇｒ１´、ｇｒ２´に変換する。
【００８１】
この時、第１出力映像データｇｒ１´は、現在入力映像データｇｒと直前入力映像データｇｒ−１との大きさの差によって、前記図６を参照して説明した第１臨時映像データｇｒ１（または、図３を参照して説明した映像信号補正部６２０の第１出力映像データｇｒ１）より大きいか小さいか同一である。
【００８２】
例えば、現在入力映像データｇｒが直前入力映像データｇｒ−１より大きい場合、つまり、ｇｒ＞ｇｒ−１である場合、第１出力映像データｇｒ１´は第１臨時映像データｇｒ１より大きい。反対に、現在入力映像データｇｒが直前入力映像データｇｒ−１より小さい場合、つまり、ｇｒ＜ｇｒ−１である場合、第１出力映像データｇｒ１´は第１臨時映像データｇｒ１より小さい。また、現在入力映像データｇｒ１、ｇｒ２が直前入力映像データｇｒ−１，１、ｇｒ−１，２と同一である場合、つまり、ｇｒ＝ｇｒ−１である場合、第１出力映像データｇｒ１´は第１臨時映像データｇｒ１と同一である。
【００８３】
このように、現在入力映像データｇｒ１、ｇｒ２が直前入力映像データｇｒ−１，１、ｇｒ−１，２と異なる場合、第１出力映像データｇｒ１´を第１臨時映像データｇｒ１より大きく、または小さくするので、相当する画素が目標輝度に速かに接近することができる。
【００８４】
しかし、第２出力映像データｇｒ２´を決める時には、第１出力映像データｇｒ１´を求める方法であるＤＣＣを適用しない。特に、第２出力映像データｇｒ２´が０、または０に近い値であるとき、第２出力映像データｇｒ２´が第２臨時映像データｇｒ２と同一であり得る。
【００８５】
第２出力映像データｇｒ２´は、実験などを通じて既に決められた値とするが、例えば、第１臨時映像データｇｒ１と第２臨時映像データｇｒ２とに相当するデータ電圧を、引続き画素に印加する時に得られる最終的な平衡状態の透過率曲線に、最も速く到達できる値に決める。具体的に説明すると、入力映像データがｒ番目フレームで、（ｒ−１）番目フレームから変わった後に、その次の（ｒ＋１）番目フレームからは変化しないと仮定する場合、最終的に示される平衡状態の透過率曲線が最も速い。可能であれば、（ｒ＋１）番目フレームから示されるように第２出力映像データｇｒ２´を決める。
【００８６】
このように決められた第１及び第２出力映像データを適用した液晶表示装置の透過率が図８に示した。図９は、図３を参照して説明した第１及び第２出力映像データを適用した液晶表示装置の透過率が示されている。
【００８７】
図８及び図９において、Ｔｉ１とＴｉ２は入力映像データを補正しなかった場合に現れる画素の予想透過率を示し、Ｔｔは入力映像データを補正した場合に現れる画素の予想透過率を示し、Ｔａは入力映像データを補正した場合に現れる画素の実際透過率を示す。ＴｔとＴａが異なることは、液晶の応答速度が遅いためである。したがって、ＤＣＣ処理を行うわけである。
【００８８】
図８に示しているように、第１出力映像データに対しては、ＤＣＣを適用し、第２出力映像データに対しては、ＤＣＣを適用せずに平衡状態に速く到達できるようにする値に決めた場合、入力映像データが変化したｒ番目フレームの直後フレームである（ｒ＋１）番目フレームから透過率曲線Ｔａが平衡状態に到達する。
【００８９】
これに反し、ＤＣＣを全く適用しなかった図９では、透過率曲線Ｔａはいくつものフレーム間で引続き変化する。
【００９０】
一つの入力映像データを二つの出力映像データに変換する場合について、上述の通り説明したが、その他の場合にも上述した説明で適用できる。例えば、一つの映像データを三つの出力映像データに変換する場合、出力周波数は入力周波数の３倍になって、最大輝度を与える出力映像データのみにＤＣＣを適用し、残りは実験やその他によって得たものであり得る。また、四つの入力映像データを３対の出力映像データに変換することもでき、この時にもＤＣＣは最も大きい値に対してのみ適用できる。
【００９１】
次に、図１０及び図１１を参照して、図７に示した映像信号補正部の例について詳細に説明する。
【００９２】
図１０及び図１１は、図７に示した映像信号補正部のブロック図の例である。
【００９３】
図１０に示した映像信号補正部６６０は、ルックアップテーブルＬ１と、ルックアップテーブルＬ１と連結されていてフィールド選択信号ＦＳの入力を受けるマルチプレクサー６６１とを含む。フィールド選択信号ＦＳは、多様な方式で決めることができるが、単純にフィールドの奇数偶数で決める、またはカウンターなどを使って決めることもできる。また、このフィールド選択信号ＦＳは、信号制御部６００内部で生成されることもできるし、外部から提供されてもよい。
【００９４】
ルックアップテーブルＬ１には、図７を参照して上述に説明した方法と同じ方法で求めた第１及び第２出力映像データｇｒ１´、ｇｒ２´が直前入力映像データｇｒ−１と現在入力映像データｇｒの関数で記憶されている。したがって、ルックアップテーブルＬ１は直前入力映像データｇｒ−１と現在入力映像データｇｒに対応する第１及び第２出力映像データｇｒ１´、ｇｒ２´をマルチプレクサー６６１に出力する。
【００９５】
マルチプレクサー６６１は、フィールド選択信号ＦＳの値によってルックアップテーブルＬ１からの第１及び第２出力映像データｇｒ１´、ｇｒ２´の中で一つを選択して出力する。
【００９６】
図１１に示した映像信号補正部６６０は、第１ルックアップテーブルＬ２１と、第２ルックアップテーブルＬ２２と、ルックアップテーブルＬ２１及びＬ２２に連結されていてフィールド選択信号ＦＳの入力を受けるマルチプレクサー６６２と、マルチプレクサー６６２に連結された第３ルックアップテーブルＬ２３とを含む。
【００９７】
第１ルックアップテーブルＬ２１及び第２ルックアップテーブルＬ２２には、図７を参照して上述に説明した方法と同じ方法で求めた第１及び第２出力データｇｒ１´、ｇｒ２´が各々記憶されている。
【００９８】
マルチプレクサー６６２は、一つのフィールドが終わって次のフィールドが始まる前にフィールド選択信号ＦＳ値によって、第１ルックアップテーブルＬ１及び第２ルックアップテーブルＬ２２からの第１及び第２出力映像データｇｒ１´、ｇｒ２´の中で一つを選択して出力する。
【００９９】
第３ルックアップテーブルＬ２３は、マルチプレクサー６６２からの第１及び第２出力映像データｇｒ１´、ｇｒ２´を直前入力映像データｇｒ−１と現在入力映像データｇｒの関数で記憶し、入力された直前入力映像データｇｒ−１と現在入力映像データｇｒに対応する第１もしくは第２出力映像データｇｒ１´、ｇｒ２´を出力する。
【０１００】
この場合、原色、例えば赤色、緑色及び青色の三原色別に同一ルックアップテーブルを使用し、これら三原色のＤＣＣ変換が同時に行われると、全ルックアップテーブルの大きさを縮小するのに有利である。
【０１０１】
以下に、図１２及び図１４を参照して、図７に示した信号制御部を含む液晶表示装置において、出力映像データを決める他の方法について詳細に説明する。
【０１０２】
本実施例では、ルックアップテーブルに直前映像データ及び現在映像データの一部値（または階調）に対して出力映像データと関する係数が記憶されており、映像信号補正部は、この係数を使用して出力映像データを求める。これについて詳細に説明する。
【０１０３】
図１２は、図７に示した信号制御部を含む液晶表示装置で出力映像データを決める他の方法を説明するための図面である。
【０１０４】
説明の便宜のために、入力映像データがｘビットの上位ビット（ＭＳＢ）とｙビットの下位ビット（ＬＳＢ）からなると仮定する。
【０１０５】
例えば、８ビット映像信号の場合、階調数が２５６個であるので、直前入力映像データｇｒ−１と現在入力映像データｇｒの組み合わせは全て２５６×２５６＝６５，５３６個となる。多くの数の組み合わせ各々に対して最終出力映像データｇｒ１´、ｇｒ２´をルックアップテーブルに記憶しておくことは、時間的、空間的に無理がある。したがって、直前入力映像データ及び現在入力映像データの一部対に対する出力映像データｇｒ１´、ｇｒ２´をルックアップテーブルに記憶しておき、これを基準に、残り対に対する出力映像データｇｒ１´、ｇｒ２´を求める方式を補間という。特に下位ビットが０である直前入力映像データ及び現在入力映像データの対に対する出力映像データｇｒ１´、ｇｒ２´を記憶しておいて、これを基準に他の入力映像データ対に対する出力映像データｇｒ１´、ｇｒ２´を求めることは比較的に簡単である。
【０１０６】
８ビット映像データである場合、上位ビットのビット数は４または３とすることができるが、上位ビットのビット数が４である場合、１７×１７の入力映像データ対、３である場合には９×９の入力データ対に対する出力映像データｇｒ１´、ｇｒ２´のみを記憶すればよい。
【０１０７】
上位ビットのビット数が４である場合に対して、図１２に示したように、横軸と縦軸に各々直前入力映像データｇｒ−１と現在入力映像データｇｒを配置してみる。
【０１０８】
図１２における実線で区画された正方形領域は、直前入力映像データｇｒ−１と現在入力映像データｇｒの上位ビットの値を基準に分けられたブロックである。ブロックの境界に存在する点は、直前入力映像データｇｒ−１または現在入力映像データｇｒの下位ビットが０の点である。直前入力映像データｇｒ−１と現在入力映像データｇｒ全てに対して各ブロック内に存在する点の上位ビットは全て同一であり、左側辺と上側辺上に位置する点もブロック内部の点と同一な上位ビットを有する。ただし、右側辺と下側辺上に存在する点の上位ビットは、ブロック内部点の上位ビットと相異なる。
【０１０９】
各ブロックの頂点に対しては、出力映像データが与えられ、これを基準データｆと称する。例えば、図１２は、一つのブロックを定義する四つの頂点に対する出力映像データをｆ００、ｆ０１、ｆ１０、ｆ１１で示している。頂点でない点に対する出力映像データは、これらと下位ビットの関数で与えられる演算を通じて求める。
【０１１０】
このような補間法の例を以下に説明する。
【０１１１】
現在入力映像データｇｒの上位ビット及び下位ビットを各々ｇｒ［ｘ＋ｙ−１：ｙ］、ｇｒ［ｙ−１：０］とし、直前入力映像データｇｒ−１の上位ビット及び下位ビットを各々ｇｒ−１［ｘ＋ｙ−１：ｙ］、ｇｒ−１［ｙ−１：ｙ」とすれば、基準データｆは以下の数式（２）で示すことができる。
【０１１２】
ｆ（ｇｒ［ｘ＋ｙ−１：ｙ］、ｇｒ−１［ｘ＋ｙ−１：ｙ］＝ｇｒ´（ｇｒ［ｘ＋ｙ−１：ｙ］×２ｙ、ｇｒ−１［ｘ＋ｙ−１：ｙ］×２ｙ）・・・（２）
ここで、ｇｒ´はｇｒ１´またはｇｒ２´である。
【０１１３】
上述した図１２のブロック内点に対する出力映像データｇｒ´は次の数式（３）のような補間法で与えられる。
【０１１４】
ｇ＝ｆ００＋ｐ×ｇｒ−１［ｙ−１：０］／２ｙ＋ｑ×ｇｒ［ｙ−１：０］／２ｙ＋ｒ×ｇｒ−１［ｙ−１：０］×ｇｒ［ｙ−１：０］／２２ｙ・・・（３）
ここで、αとβは各々直前入力映像信号ｇｒ−１と現在入力映像データｇｒの下位ビットをブロック間隔２ｙで分けた値である（０≦α＜１、０≦β＜１）。
【０１１５】
ここで、ｐ、ｑ、ｒは以下の数式（４）、（５）、（６）で示す。
【０１１６】
ｐ（ｇｒ［ｘ＋ｙ−１：ｙ］、ｇｒ−１［ｘ＋ｙ−１：ｙ］）＝ｆ０１−ｆ００＝ｆ（ｇｒ［ｘ＋ｙ−１：ｙ］、ｇｒ−１［ｘ＋ｙ−１：ｙ］＋１）−ｆ（ｇｒ［ｘ＋ｙ−１：ｙ］、ｇｒ−１［ｘ＋ｙ−１：ｙ］・・・（４）
ｑ（ｇｒ［ｘ＋ｙ−１：ｙ］、ｇｒ−１［ｘ＋ｙ−１：ｙ］）＝ｆ１０−ｆ００＝ｆ（ｇｒ［ｘ＋ｙ−１：ｙ］＋１、ｇｒ−１［ｘ＋ｙ−１：ｙ］）−ｆ（ｇｒ［ｘ＋ｙ−１：ｙ］、ｇｒ−１［ｘ＋ｙ−１：ｙ］）・・・（５）
ｒ（ｇｒ［ｘ＋ｙ−１：ｙ］、ｇｒ−１［ｘ＋ｙ−１：ｙ］）＝ｆ００＋ｆ１１−ｆ０１−ｆ１０＝ｆ（ｇｒ［ｘ＋ｙ−１：ｙ］、ｇｒ−１［ｘ＋ｙ−１：ｙ］）＋ｆ（ｇｒ［ｘ＋ｙ−１：ｙ］＋１、ｇｒ−１［ｘ＋ｙ−１：ｙ］＋１）−ｆ（ｇｒ［ｘ＋ｙ−１：ｙ］、ｇｒ−１［ｘ＋ｙ−１：ｙ］＋１）−ｆ（ｇｒ［ｘ＋ｙ−１：ｙ］＋１、ｇｒ−１［ｘ＋ｙ−１：ｙ］）・・・（６）
ルックアップテーブルには、基準データｆのみを記憶しておき、その他のｐ、ｑ、およびｒなどの係数は、演算を通じて求めることができる。しかし、演算時間が長くかかる短所があるため、基準データｆの他にもｐ、ｑ、およびｒなどの係数を記憶しておけば演算時間が節約される。
【０１１７】
このような方式によって、入力映像データｇｒに対する第１出力映像データｇｒ１´と第２出力映像データｇｒ２´を求める。ただし、前記数式は一つの例に過ぎず、他の方法で補間を行ってもよい。
【０１１８】
図１３と図１４には、このような原理に基づいて補正を行う映像信号補正部の例が示されている。
【０１１９】
図１３及び図１４は、本発明の他の実施例による映像信号補正部のブロック図の例である。
【０１２０】
図１３に示した映像信号補正部６６０は、ルックアップテーブルＬ３と、これに連結されていてフィールド選択信号ＦＳの入力を受けるマルチプレクサー６６３と、マルチプレクサー６６３に連結されていて直前映像データｇｒ−１及び現在入力映像データｇｒの入力を受ける演算部６６４とを含む。
【０１２１】
ルックアップテーブルＬ３には、第１出力映像データｇｒ１´に対する基準データｆ１及び係数ｐ１、ｑ１、ｒ１（以下、二つを合せて第１補正係数と言う）と、第２出力映像データｇｒ２´に対する基準データｆ２及び係数ｐ２、ｑ２、ｒ２（以下、二つを合せて第２補正係数と言う）とが直前入力映像データｇｒ−１と現在入力映像データｇｒの関数で記憶されている。したがって、ルックアップテーブルＬ３は、直前入力映像データｇｒ−１と現在入力映像データｇｒに応答して、これに対応する第１補正係数ｆ１、ｐ１、ｑ１、ｒ１と第２補正係数ｆ２、ｐ２、ｑ２、ｒ２をマルチプレクサー６６３に出力する。
【０１２２】
マルチプレクサー６６３は、フィールド選択信号ＦＳ値によってルックアップテーブルＬ１からの第１補正係数ｆ１、ｐ１、ｑ１、ｒ１と第２補正係数ｆ２、ｐ２、ｑ２、ｒ２のうちの一つを選択して出力する。
【０１２３】
演算部６６４は、マルチプレクサー６６３からの第１または第２補正係数ｆ１、ｐ１、ｑ１、ｒ１、ｆ２、ｐ２、ｑ２、ｒ２と直前及び現在入力映像データｇｒ−１、ｇｒの下位ビットの入力を受けて数式（３）の演算を行い、第１出力映像データｇｒ１´や第２出力映像データｇｒ２´を生成して出力する。
【０１２４】
このように補間法によって出力映像データｇｒ１´、ｇｒ２´を生成すれば、ルックアップテーブルの大きさとデータ処理時間などを大きく縮小することができる。
【０１２５】
図１４に示した映像信号補正部６６０は、第１ルックアップテーブルＬ４１と、第２ルックアップテーブルＬ４２と、これらルックアップテーブルＬ４１及びＬ４２に各々連結されていてフィールド選択信号ＦＳの入力を受けるマルチプレクサー６６５と、マルチプレクサー６６５に連結されていて直前入力映像データｇｒ−１と現在入力映像データｇｒの入力を受ける第３ルックアップテーブルＬ４３と、第３ルックアップテーブルＬ４３に連結されていて直前入力映像データｇｒ−１と現在入力映像データｇｒの入力を受ける演算部６６６と、を含む。
【０１２６】
第１ルックアップテーブルＬ４１及び第２ルックアップテーブルＬ４２には上述した第１及び第２補正係数が各々記憶されている。
【０１２７】
マルチプレクサー６６５は、一つのフィールドが終わって次のフィールドが始まる前にフィールド選択信号ＦＳ値によって第１ルックアップテーブルＬ４１及び第２ルックアップテーブルＬ４２からの第１及び第２補正係数の中で一つを選択して出力する。
【０１２８】
第３ルックアップテーブルＬ４３は、マルチプレクサー６６３からの第１または第２補正係数を直前入力映像データｇｒ−１と現在入力映像データｇｒの関数で記憶し、入力された直前入力映像データｇｒ−１と現在入力映像データｇｒに応答して相当する第１または第２補正係数を出力する。
【０１２９】
演算部６６６は、マルチプレクサー６６５からの第１または第２補正係数ｆ１，ｐ１、ｑ１、ｒ１、ｆ２、ｐ２、ｑ２、ｒ２と直前及び現在入力映像データｇｒ−１、ｇｒの下位ビットの入力を受けて数式（３）の演算を行い、第１出力映像データｇｒ１´、または第２出力映像データｇｒ２´を生成して出力する。
【０１３０】
この場合にも、図１１に示しているように、例えば、赤色、緑色及び青色の三原色別に同一ルックアップテーブルを使用し、これら三原色のＤＣＣ変換が同時に行われる場合、全ルックアップテーブルの大きさを縮小するのに有利である。
【０１３１】
上述に、一つの入力映像データを二つの出力映像データに変換する場合について説明したが、その他の場合にも上述した説明で適用できる。例えば、一つの映像データを三つの出力映像データに変換することができ、この時出力周波数は入力周波数の３倍になり、最大輝度を与える出力映像データのみＤＣＣを適用し得て、残りは実験やその他によって得られたものであってもよい。これとは異なって、四つの入力映像データを３対の出力映像データに変換することもでき、この時にもＤＣＣは最も大きい値に対してのみ適用できる。
【０１３２】
以上、本発明の好ましい実施例について詳細に説明したが、本発明の権利範囲はこれに限定されず、請求範囲で定義している本発明の基本概念を利用した当業者の様々な変形及び改良形態もまた本発明の権利範囲に属する。
【図面の簡単な説明】
【０１３３】
【図１】本発明の一実施例による液晶表示装置のブロック図である。
【図２】本発明の一実施例による液晶表示装置の一つの画素に対する等価回路図である。
【図３】本発明の一実施例による液晶表示装置の構造図である。
【図４】図３に示した信号制御部を含む液晶表示装置における映像データの補正前ガンマ曲線及び補正後ガンマ曲線を示したグラフである。
【図５】図３に示した信号制御部を含む液晶表示装置における映像データを補正前データ電圧と補正後データ電圧を示した波形図である。
【図６】本発明の他の実施例による信号制御部のブロック図である。
【図７】本発明の他の実施例による信号制御部のブロック図である。
【図８】図７に示した信号制御部を含む液晶表示装置の時間に伴う透過率変化を示したグラフである。
【図９】図３に示した信号制御部を含む液晶表示装置の時間に伴う透過率変化を示したグラフである。
【図１０】図７に示した映像信号補正部ブロック図の例である。
【図１１】図７に示した映像信号補正部ブロック図の例である。
【図１２】図７に示した信号制御部を含む液晶表示装置における出力映像データを決める他の方法を説明するための図面である。
【図１３】本発明の他の実施例による映像信号補正部ブロック図の例である。
【図１４】本発明の他の実施例による映像信号補正部ブロック図の例である。
【符号の説明】
【０１３４】
３    液晶層、
１００、２００    基板、
２３０    色フィルター、
２７０    共通電極、
３００    液晶表示板組立体、
４００    ゲート駆動部、
５００    データ駆動部、
６００    信号制御部、
８００    階調電圧生成部、
Ｇ１−Ｇｎ    ゲート線、
Ｄ１−Ｄｍ    データ線、
Ｑ    スイッチング素子、
ＣＬＣ    液晶キャパシタ、
ＣＳＴ    ストレージキャパシタ、
６１０    フレームメモリ、
６２０    映像補正部、
６３０、６４２、６５０    フレームメモリ、
６４０    映像信号補正部、
６４１    信号変換部、
６４３    ＤＣＣ処理部、
６６０    映像信号補正部、
Ｌ２１、Ｌ２２、Ｌ２３、Ｌ４１、Ｌ４２、Ｌ４３    ルックアップテーブル、
６６２、６６３、６６５    マルチプレクサー、
６６４、６６６    演算部。
【図１】
2006171749.tif 000003
【図２】
2006171749.tif 000004
【図３】
2006171749.tif 000005
【図４】
2006171749.tif 000006
【図５】
2006171749.tif 000007
【図６】
2006171749.tif 000008
【図７】
2006171749.tif 000009
【図８】
2006171749.tif 000010
【図９】
2006171749.tif 000011
【図１０】
2006171749.tif 000012
【図１１】
2006171749.tif 000013
【図１２】
2006171749.tif 000014
【図１３】
2006171749.tif 000015
【図１４】
2006171749.tif 000016